(57)【要約】【課題】部品点数が少なく、操作部材を１本の圧縮コイルのみで中立位置へセルフリターンができ、しかも扁平化できる回動型電子部品を得ること。【解決手段】本発明の回動型電子部品１００は、操作部材１１０と、ハウジング１２０と、１個のコイルバネ１３０と、摺動電気接点１４０と、フレキシブル回路基板１５０と、固定蓋１６０とから構成されていて、ハウジング１２０の圧縮バネ収容凹部１２２にコイルバネ１３０を装着し、操作部材１１０の支持板１１３に形成されているバネ押し突起１１５ａ、１１５ｂをコイルバネ１３０の両端部に配設し、前記支持板１１３の他の面に形成されている摺動電気接点取付用突起１１６に摺動電気接点１４０を固定し、その外側から電極パターン１５３が形成されているフレキシブル回路基板１５０をハウジング１２０に取り付け、更にその外側から固定蓋１６０で閉鎖した構造の部品である。【選択図】図２
2006236784.tif 000002
【特許請求の範囲】
【請求項１】
操作部材と、ハウジングと、１個の復帰バネと、摺動電気接点と、フレキシブル回路基板と、固定蓋とを備え、前記ハウジングの中央部に形成された圧縮バネ収容凹部に前記復帰バネを装着し、前記操作部材の摺動板の裏面に形成されている支持板の一方の側面に形成されている一対のバネ押し突起を前記装着されている復帰バネの両端部に配設し、前記支持板の他の側面に形成されている摺動電気接点取付用突起に前記摺動電気接点を固定し、その外側から電極パターンが形成されている前記フレキシブル回路基板を前記ハウジングに取り付け、更にその外側から固定蓋で閉鎖した構造で構成されていることを特徴とする回動型電子部品。
【請求項２】
操作部材と、ハウジングと、１個の復帰バネと、摺動電気接点と、フレキシブル回路基板と、固定蓋とを備え、
前記操作部材は、所定の幅、長さ及び厚みを備え、円弧状に曲げられている摺動板と、該摺動板の表面中央部に形成された操作ノブと、前記摺動板の裏面に垂直に、そしてその長さ方向に前記裏面から僅かな隙間を開けて形成され、一方の側面に垂直に前記復帰バネを押圧する一対のバネ押し突起が、他方の側面に垂直に前記摺動電気接点を取り付ける摺動電気接点取付用突起が形成されている支持板とが形成されており、
前記ハウジングは、その表面が円弧状に形成されており、内部の上方中央部に前記復帰バネを収容する復帰バネ収容凹部と、該復帰バネ収容凹部の両側に連続して前記バネ押し突起がそれぞれ前記復帰バネを圧縮できる移動範囲の長さの円弧状のバネ押し突起ガイド溝と、前記復帰バネ収容凹部と前記バネ押し突起ガイド溝より手前に前記支持板を左右に円弧状に摺動させられる支持板ガイド溝と、前記ハウジングの側面に垂直に前記固定蓋を固定するための複数本のボスとが形成されており、
前記復帰バネは、その軸方向に伸縮するコイル状バネであり、
前記摺動電気接点は、全体がくの字型に形成されており、その中央部に取付孔が、両端に接点が形成されており、
前記フレキシブル回路基板は、前記ハウジングの前記ボスが貫通できる複数の取付孔と、前記摺動電気接点の前記接点が接触、摺動できる電極パターンと、該電極パターンに接続された導出端子とが形成されており、
前記固定蓋は、前記ハウジングの内方形状に則した形状の板体で、前記ハウジングの前記ボスが貫通できる複数の取付孔が形成されており、
前記ハウジングには、
前記復帰バネが前記ハウジングの復帰バネ収容凹部に収容して取り付けられており、    前記操作部材が、その前記摺動板が前記ハウジングの前記円弧状表面を覆うように、  その前記一対のバネ押し突起が収容された前記復帰バネの両端部に位置するように、そ  してその支持板が前記ハウジングの前記支持板ガイド溝に収容されるように取り付けら  れ、
前記摺動電気接点が、その接点を外方に向けて、その前記取付孔に前記支持板の前記  摺動電気接点取付用突起を貫通させて取り付けられ、
前記フレキシブル回路基板が、前記摺動電気接点の外方から、その前記接点が前記フ  レキシブル回路基板の前記電極パターンに接触するように、そして前記取付孔に前記ハ  ウジングの複数本のボスを通して取り付けられ、
前記固定蓋が、前記フレキシブル回路基板の外方から、前記複数の取付孔に前記ハウ  ジングの前記ボスを通して取り付けられ
て構成されていることを特徴とする回動型電子部品。
【請求項３】
前記ハウジングの前記バネ押し突起ガイド溝に高粘性材が注入されていることを特徴とする請求項１または請求項２に記載の回動型電子部品。
【請求項４】
前記摺動電気接点はその前記接点が前記中央部の取付孔を中心にして左右に延在する少なくとも１本のバネの先端部に形成されていて、全体として一文字状の構造で構成されることを特徴とする請求項１または請求項２に記載の回動型電子部品。
【請求項５】
前記摺動電気接点の前記バネが複数本、平行に形成されていて、各バネの先端部に前記接点が形成されていることを特徴とする請求項４に記載の回動型電子部品。
【請求項６】
前記フレキシブル回路基板の延長部分の所定の位置にオンオフスイッチなどの他の機能手段が配設されて構成されていること特徴とする請求項１または請求項２に記載の回動型電子部品。
【請求項７】
前記固定蓋の複数の取付孔に前記ハウジングの前記複数本のボスをそれぞれ挿入して前記固定蓋を取り付けた後、該固定蓋の外方に露出した前記ボスの先端部を前記各取付孔の径を十分に塞ぐように潰して前記固定蓋を固定することを特徴とする請求項２に記載の回動型電子部品。
【請求項８】
前記ハウジングは溶融樹脂製であり、該ハウジングの下面に、該ハウジングを固定板に位置決めできる複数本の位置決めボスと、前記固定板に差し込んで、該固定板の裏面に露出した先端部を溶融することによって前記ハウジングを前記固定板に固定できる複数本の溶着ボスとが前記ハウジングと一体的に成形されていることを特徴とする請求項１または請求項２に記載の回動型電子部品。
【発明の詳細な説明】
【技術分野】
【０００１】
本発明は、操作部材を回動させることによって電気的出力を変化させる、或いはオンオフさせる回動型電子部品に関するものである。
【背景技術】
【０００２】
先ず、この種の従来技術の回動型電子部品の例を、以下、図を用いて説明する。
【０００３】
図１６は従来技術の第１形態の回動型電子部品の断面図、図１７は図１６におけるＡ−Ａ線上における縦断面図、図１８はこの回動型電子部品のハウジングを示す平面図、図１９は従来技術の第２形態の回動型電子部品の正面断面図、そして図２０は図１９に示した回動型電子部品の分解斜視図である。
【０００４】
先ず、図１６乃至図１８を用いて、前記第１形態の回動型電子部品を説明する。なお、このスライド型電気部品は、下記の［特許文献１］に開示されているもので、図１６は図１、図１７は図２、そして図１８は図４を再掲した図であり、また、符号はそのまま用いて説明する。
【０００５】
この回動型電子部品は中立位置へセルフリターンするタイプの一種のスライド型電気部品であって、このスライド型電気部品は、操作部材４の駆動体部４ａに、摺動方向と直交する方向に突出されて一対の復帰バネ２の他端側と係合する突起部４ｄを形成し、ハウジング１の収納部１ａには、駆動体部４ａの摺動面より下方に摺動方向に沿って並設され、復帰バネ２の両端部が位置決めされる壁部１ｄを有する一対のバネ収納部１ｃを形成し、この一対のバネ収納部１ｃの間に両方を連結する連結溝部１ｅを形成すると共に、バネ収納部１ｃの対向する一対の壁部１ｄの間に駆動体部４ａの突起部４ｄを摺動案内する摺動溝部１ｆを連続して形成し、駆動体部４ａの背面には接触片５ａを備えた摺動子片５が固着されている。また、ハウジング１の反対側には、フェノール樹脂などの積層板からなる基台６が配設されており、その表面には銅箔やカーボンなどの導電材からなる導電パターン（図示せず）が形成されている。また、裏面には前記導電パターンとスルーホールなどで接続された導電性の金属板からなる外部端子７が固着されている。そして基台６は、裏面側を合成材脂などの絶縁材からなる平板状のカバー８に一体的に固着されており、前記導電パターンが前記駆動体部４ａに固着された摺動子片５の接触片５ａと接離するように対向してハウジング１に取り付けられている。
【０００６】
このような構成のスライド型電気部品の動作は、先ず、図１６に示す初期の状態では、操作ノブ４ｃは中立位置にあり、この状態では駆動体部４ａの突起部４ｄが前記連結溝部１ｅに係合され、突起部４ｄの両端部が、前記一対のスペーサー３、３に当接して前記一対の復帰バネ２、２の付勢力によって中立位置に保持される。この状態では前記摺動子片５の接触片５ａと導電パターンとは離間した状態となっている。
【０００７】
この状態から、例えば、操作ノブ４ｃを図示左方向へ押圧すると、操作ノブ４ｃが左側にスライド移動し、これに伴って駆動体部４ａも、突起部４ｄが摺動溝部１ｆに、ガイド突部４ｅがガイド溝部１ｇに摺動案内されて左側にスライド移動し、突起部４ｄは左側に配設された復帰バネ２の付勢力に抗してその復帰バネ２を圧縮させる。この時、摺動子片５の接触片５ａが基台６の表面上を摺動して前記導電パターンと接触し、接点がオン状態となり、信号が外部端子７を介して外部の回路に送信されるようになる。
【０００８】
この状態から、操作ノブ４ｃへの押圧を解除すると、駆動体部４ａが圧縮されていた復帰バネ２の付勢力により図１６に示す中立位置へと復帰する。なお、操作ノブ４ｃを図示の右方向へ押圧した湯合においても、前記と同様な動作となる。
【０００９】
次に、図１９及び図２０を用いて、従来技術の第２形態の回動型電子部品を説明する。なお、この回動型電子部品１は下記の［特許文献２］に開示されているもので、図１９は図２を再掲した図、図２０は図１を再掲した図であり、また、符号はそのまま用いて説明する。
【００１０】
この回動型電子部品は、固定側部材１０に対して内部にねじりコイルバネ７３（特許文献２の図１に図示されている）が配設されている回転側部材５０を回転自在に軸支するとともに、つまみ２１０を矢印Ａの方向に押圧することで、固定側部材１０に対し、回転側部材５０を前記ねじりコイルバネ７３に抗して回転させられるように構成されている。そして固定側部材１０の側面には、回転側部材５０が回転することで、その電気的出力が変化する電気的機能部１６、１８（同図１）が配設されている。
【００１１】
また、この回動型電子部品には、回転側部材５０の外周に押圧部５８、５８が設けられており、これら押圧部５８、５８に対向する位置にスイッチ押圧部８３が配設されている。更に、スイッチ押圧部８３によって押圧される位置にスイッチ９２を配設し、回転側部材５０を回転することで電気的機能部によってその電気的出力を変化すると共に、押圧部５８によって押圧されたスイッチ押圧部８３がスイッチ９２をオンするように構成されている。
【特許文献１】特開２００３−１９７０６７号（第３〜５頁、図１、図２、図４）
【特許文献２】特開２００４−１７８９８７号（第１頁、図１、図２）
【発明の開示】
【発明が解決しようとする課題】
【００１２】
前記のように、前者のスライド型電気部品では、
１．復帰バネ（圧縮コイルバネ）２を２個使用することから両端への操作荷重に違いが生  じ、また、部品点数が増えることからコスト高となること
２．操作部材４が中立位置へ復帰する時に、復帰バネ２と樹脂部品であるハウジング１と  の干渉音が大きくなること
また、後者の回動型電子部品では、
１．回転側部材５０及びねじりコイルバネ７３が円形であることから部品の高さが高くな  ること
２．部品点数が多いこと
などの課題があり、更に、両者に共通する課題としては、
１．小型化、扁平化ができない構造、構成であること
２．操作部材の回動半径が小であると、どうしても回動量に対する回動角度が大きく、微  調整がし難くなり、操作性が悪くなること
３．汎用部品として考えられており、ベースとなるフレキシブル回路基板に別部品として  組付ける必要があるため、どうしても接続用部品を必要とし、部品費用及びその組付け  費用が余分に掛かること
４．固定方法として、板金爪カシメ方式かネジ締め方式が用いられていて、前者の場合、  専用のカシメ治具を必要とし、カシメ代が必要となり、また分解し難くいこと、後者の  場合、タップ板金部品及びネジ部品費用が発生すること
などを挙げることができる。
【００１３】
本発明は、これらの課題を解決しようとするものであって、部品点数が少なく、操作部材を１本の圧縮コイルのみで中立位置へセルフリターンができ、しかも全体の高さを扁平化できる回動型電子部品を得ることを目的とする。
【課題を解決するための手段】
【００１４】
それ故、本発明の回動型電子部品は、操作部材と、ハウジングと、１個の復帰バネと、摺動電気接点と、フレキシブル回路基板と、固定蓋とを備え、前記ハウジングの中央部に形成された圧縮バネ収容凹部に前記復帰バネを装着し、前記操作部材の摺動板の裏面に形成されている支持板の一方の側面に形成されている一対のバネ押し突起を前記装着されている復帰バネの両端部に配設し、前記支持板の他の側面に形成されている摺動電気接点取付用突起に前記摺動電気接点を固定し、その外側から電極パターンが形成されている前記フレキシブル回路基板を前記ハウジングに取り付け、更にその外側から固定蓋で閉鎖した構造で構成されていることを特徴とする。
【００１５】
また、本発明の回動型電子部品は、操作部材と、ハウジングと、１個の復帰バネと、摺動電気接点と、フレキシブル回路基板と、固定蓋とを備え、前記操作部材は、所定の幅、長さ及び厚みを備え、円弧状に曲げられている摺動板と、この摺動板の表面中央部に形成された操作ノブと、前記摺動板の裏面に垂直に、そしてその長さ方向に前記裏面から僅かな隙間を開けて形成され、一方の側面に垂直に前記復帰バネを押圧する一対のバネ押し突起が、他方の側面に垂直に前記摺動電気接点を取り付ける摺動電気接点取付用突起が形成されている支持板とが形成されており、前記ハウジングは、その表面が円弧状に形成されており、内部の上方中央部に前記復帰バネを収容する復帰バネ収容凹部と、この復帰バネ収容凹部の両側に連続して前記バネ押し突起がそれぞれ前記復帰バネを圧縮できる移動範囲の長さの円弧状のバネ押し突起ガイド溝と、前記復帰バネ収容凹部と前記バネ押し突起ガイド溝より手前に前記支持板を左右に円弧状に摺動させられる支持板ガイド溝と、その側面に垂直に前記固定蓋を固定するための複数本のボスとが形成されており、前記復帰バネは、その軸方向に伸縮するコイル状バネであり、前記摺動電気接点は、全体がくの字型に形成されており、その中央部に取付孔が、両端に接点が形成されており、前記フレキシブル回路基板は、前記ハウジングの前記ボスが貫通できる複数の取付孔と、前記摺動電気接点の前記接点が接触、摺動できる電極パターンと、この電極パターンに接続された導出端子とが形成されており、前記固定蓋は、前記ハウジングの内方形状に則した形状の板体で、前記ハウジングの前記ボスが貫通できる複数の取付孔が形成されており、前記ハウジングには、前記復帰バネが前記ハウジングの復帰バネ収容凹部に収容して取り付けられており、前記操作部材が、その前記摺動板が前記ハウジングの前記円弧状表面を覆うように、その前記一対のバネ押し突起が収容された前記復帰バネの両端部に位置するように、そしてその支持板が前記ハウジングの前記支持板ガイド溝に収容されるように取り付けられ、前記摺動電気接点が、その接点を外方に向けて、その前記取付孔に前記支持板の前記摺動電気接点取付用突起を貫通させて取り付けられ、前記フレキシブル回路基板が、前記摺動電気接点の外方から、その前記接点が前記フレキシブル回路基板の前記電極パターンに接触するように、そして前記取付孔に前記ハウジングの複数本のボスを通して取り付けられ、前記固定蓋が、前記フレキシブル回路基板の外方から、前記複数の取付孔に前記ハウジングの前記ボスを通して取り付けられて構成されていることを特徴とする。
【００１６】
そして前記ハウジングの前記バネ押し突起ガイド溝に高粘性材を注入することが望ましい。
【００１７】
また、前記摺動電気接点はその前記接点が前記中央部の取付孔を中心にして左右に延在する少なくとも１本のバネの先端部に形成されていて、全体として一文字状の構造で構成されることが望ましい。
【００１８】
そしてまた、前記摺動電気接点の前記バネが複数本、平行に形成されていて、各バネの先端部に前記接点が形成されていることが好ましい。
【００１９】
更に、前記フレキシブル回路基板の延長部分の所定の位置にオンオフスイッチなどの他の機能手段を配設して構成することもできる。
【００２０】
更にまた、前記固定蓋の複数の取付孔に前記ハウジングの前記複数本のボスをそれぞれ挿入して前記固定蓋を取り付けた後、その固定蓋の外方に露出した前記ボスの先端部を前記各取付孔の径を十分に塞ぐように潰して前記固定蓋を固定する構造を採ることが好ましい。
【００２１】
そして更にまた、前記ハウジングは溶融樹脂製であり、そのハウジングの下面に、そのハウジングを固定板に位置決めできる複数本の位置決めボスと、前記固定板に差し込んで、その固定板の裏面に露出した先端部を溶融することによって前記ハウジングを前記固定板に固定できる複数本の溶着ボスとが前記ハウジングと一体的に成形されていることを特徴とする。
【００２２】
従って、本発明の回動型電子部品によれば、
１．１本の復帰バネを使用するだけであるので、操作部材の両端への作動荷重が同じとな  る
２．摺動電気接点の形状が一文字形であるため、１列でフレキシブル回路基板に形成され  ている電極パターンを摺動させることが可能となり、扁平化に貢献できる
３、ハウジングのバネ押し突起ガイド溝に高粘性材を注入することで、その粘性を利用し  たダンバー効果により操作部材の中立位置へのリターン速度を遅くし、復帰バネの伸張  の際の樹脂部品との干渉音を低減することができる
４．仮想中点での回転半径とし、操作性を高められる
５．電極パターンが形成されているフレキシブル回路基板を一体として組み込むこともで  き、電子機器の組立途中での接続を考慮しなくても良く、費用を抑えることができる
６．ハウジングの下面に位置決めボスと溶着ボスとを形成されていることから固定板への  位置決めと溶着固定が容易にできる
などの作用効果がある。
【発明の効果】
【００２３】
それ故、本発明によれば、回動型電子部品を、
１．扁平化、小型化できること
２、消音化できることから録音機能付き電子機器に用いて好適であること
３、操作性に優れ、微妙な操作が必要な電子機器に用いて好適であること
４、フレキシブル回路基板も一体化でき、ブロック部品として組立作業が向上すること
５、構成部品を削減でき、それだけコストを削減できること
など、数々の優れた効果が得られる。
【発明を実施するための最良の形態】
【００２４】
以下、ビデオカメラのズームレンズ用操作部品として組み込んで好適な本発明の回動型電子部品を説明する。ビデオカメラは、近年、益々小型化されており、より小型で扁平な電子部品の開発が要請されている。また、ズームレンズのズーミング操作は微妙な操作が必要な場合があるので、その操作性が重要である。そしてビデオカメラは録音機能があり、回動型電子部品が中立位置へ復帰する際に音が発生すると、その復帰音が録音されてしまうため、消音化が必要となる。更に、従来のズーミング操作用回動型電子部品は、ディスクリート型が主であり、どうしても回路基板などに電気的に接続しなくてはならなかったが、本発明の回動型電子部品では、その本体にフレキシブル回路基板を組み込み、接続部無しで一体化された構造で構成している。
【実施例１】
【００２５】
以下、図を用いて、本発明の第１実施例の回動型電子部品の構成、構造を説明する。
【００２６】
図１は本発明の第１実施例の回動型電子部品の全体の外観を示していて、同図Ａはその前方斜め上から見た斜視図、同図Ｂはその後方斜め上から見た斜視図、図２は本発明の第１実施例の回動型電子部品の全体の外観を示していて、同図Ａはその前方斜め下から見た斜視図、同図Ｂはその後方斜め下から見た斜視図、図３は図１及び図２に示した回動型電子部品の各構成部品を前方から見た分解斜視図、図４は図３に示した回動型電子部品の各構成部品を配列を変えて後方から見た分解斜視図、図５は図３及び図４に示した回動型電子部品の１構成部品である操作部材を示した拡大図であって、同図Ａはその前方斜め下から見た斜視図、同図Ｂはその後方斜め下から見た斜視図、図６は図１及び図２に示した回動型電子部品の正面平面図、図７は図３に示した１構成部品であるハウジングに復帰バネを装着した状態の正面図、図８は図６におけるＡ−Ａ線上における断面側面図、図９は図６におけるＢ−Ｂ線上における断面側面図、そして図１０は図４に示した構成部品であるフレキシブル回路基板の電極パターンと一文字状の摺動電気接点との位置関係を示した平面図である。
【００２７】
図１及び図２において、符号１００は全体として本発明の第１実施例の回動型電子部品を指す。この回動型電子部品１００は、図３及び図４に示したように、操作部材１１０と、ハウジング１２０と、１個の復帰バネであるコイルバネ１３０と、摺動電気接点１４０と、フレキシブル回路基板１５０と、固定蓋１６０とから構成されている。
【００２８】
前記操作部材１１０は、図５にも示したように、所定の幅、長さ及び厚みを備え、円弧状に曲げられている摺動板１１１と、この摺動板１１１の表面中央部に形成された操作ノブ１１２と、摺動板１１１の裏面に垂直に、そしてその長さ方向に、その裏面から後記するハウジング１２０の表面板１２１の厚みよりやや厚いスペーサー１１４を介して形成され、一方の側面（図５Ａ）に垂直に後記するコイルバネ１３０を押圧する一対のバネ押し突起１１５ａ、１１５ｂが、他方の側面（図５Ｂ）の中央部に垂直に後記の摺動電気接点１４０を取り付ける摺動電気接点取付用突起１１６が形成されている支持板１１３とが形成されている。この操作部材１１０は全体が一体的に樹脂で成形されている。
【００２９】
前記ハウジング１２０も全体が一体的に樹脂で成形されていて、図７にも示したように、その表面板１２１が円弧状に形成されており、前方から見て（図３）、その内部の上方中央部に、前記のコイルバネ１３０を収容するコイルバネ収容凹部１２２と、このコイルバネ収容凹部１２２の両側に連続して前記バネ押し突起１１５ａ、１１５ｂがそれぞれコイルバネ１３０を圧縮できる移動範囲の長さの円弧状のバネ押し突起ガイド溝１２３、１２４と、前記コイルバネ収容凹部１２２と前記バネ押し突起ガイド溝１２３より手前に形成されていて、前記支持板１１３を収容し、その支持板１１３を左右に円弧状に摺動させることができる支持板ガイド溝１２８と、前記ハウジング１２０の側面に垂直に後記する固定蓋１６０を固定するための複数本の、例えば、３本のボス１２５ａ、１２５ｂ、１２５ｃと、ハウジング１２０の下面に、このハウジング１２０を固定板（不図示）に位置決めできる複数本の、例えば、２本の位置決めボス１２６と、前記固定板（（不図示）に差し込んで、その固定板の裏面に露出した先端部を溶融することによってハウジング１２０を固定板に固定できる複数本の、例えば、２本の溶着ボス１２７とがハウジング１２０の本体に一体的に成形されて形成されている。なお、ハウジング１２０の後方の側面１２８（図４）は平面状に閉鎖されている。
【００３０】
前記コイルバネ１３０は、所定の長さを備え、その軸方向に伸縮できるコイル状のバネで、操作部材１１０を常時中立位置に復帰させようとするバネである。
【００３１】
前記摺動電気接点１４０は、全体がくの字型に形成されており、その中央部に取付孔１４１が、この取付孔１４１から左右に２本づつ板バネ１４２ａ、１４２ｂ、１４２ｃ、１４２ｄが互いに平行に延び、それらの先端に接点１４３ａ、１４３ｂ、１４３ｃ、１４３ｄがそれぞれ形成されている。
【００３２】
前記フレキシブル回路基板１５０はメンブレン基板製で、平面の基板を垂直に折り曲げた垂直板部分１５１ａと水平板部分１５１ｂとからなり（図３）、その垂直板部分１５１ａの両端に形成されている、ハウジング１２０のボス１２５ｂ、１２５ｃが貫通できる丸孔の取付孔１５２ｂ（位置決め用）とやや長めの取付孔１５２ｃと、その垂直板部分１５１ａの中央に形成されている、ハウジング１２０のボス１２５ａが貫通できる取付孔１５２ａと、その垂直板部分１５１ａの表面に摺動電気接点１４０の接点１４３ａ、１４３ｂ、１４３ｃ、１４３ｄが接触、摺動できる電極１５３ａ、１５３ｂからなる電極パターン１５３と、その電極１５３ａ、１５３ｂにそれぞれ接続された複数の導出端子１５５とが形成されている。この回動型電子部品１００を摺動抵抗器として形成する場合には、メンブレン基板の表面に前記電極１５３ａ、１５３ｂとして抵抗材料が印刷される。
【００３３】
また、フレキシブル回路基板１５０の水平板部分１５１ｂの両端部には、このフレキシブル回路基板１５０を固定板（不図示）に取り付ける取付孔１５６ａ、１５６ｂが開けられている（図３）。
【００３４】
前記固定蓋１６０は金属板で形成されていて、前記ハウジング１２０の内方形状に則した、断面が蒲鉾形状の板体で、前記ハウジング１２０の前記ボス１２５ａ、１２５ｂ、１２５ｃがそれぞれ貫通できる３個の取付孔１６１ａ、１６１ｂ、１６１ｃが形成されている。
【００３５】
次に、図７乃至図１０をも用いて、この回動型電子部品１００の組立方法を説明する。  先ず、図７に示したように、ハウジング１２０のコイルバネ収容凹部１２２にコイルバネ１３０を装着し、その後、バネ押し突起ガイド溝１２３、１２４にグリースなどの高粘性材Ｄを注入する。
【００３６】
次に、操作部材１１０の摺動電気接点取付用突起１１６に摺動電気接点１４０を取り付ける。その取付は摺動電気接点１４０の取付孔１４１を摺動電気接点取付用突起１１６に差し込み、その状態の摺動電気接点取付用突起１１６の先端部を溶融して固定する。
【００３７】
そして、この摺動電気接点１４０が取り付けられた操作部材１１０を、その摺動板１１１をハウジング１２０の表面板１２１の内面に対面するように、そしてそのバネ押し突起１１５ａ、１１５ｂをハウジング１２０の高粘性材Ｄが注入された前記バネ押し突起ガイド溝１２３、１２４にそれぞれはめ込み、更に、その支持板１１３をハウジング１２０の支持板ガイド溝１２８にはめ込んで、操作部材１１０をハウジング１２０に取り付ける。このように取り付けることにより、操作部材１１０に取り付けられた摺動電気接点１４０はその各接点１４３ａ、１４３ｂ、１４３ｃ、１４３ｄが外向きに突出して配設された状態になる。
【００３８】
次に、その摺動電気接点１４０の外側からハウジング１２０にフレキシブル回路基板１５０を取り付ける。フレキシブル回路基板１５０の垂直板部分１５１ａに形成されている取付孔１５２ａ、１５２ｂ、１５２ｃにハウジング１２０のボス１２５ａ、１２５ｂ、１２５ｃをそれぞれ挿通する。このように取り付けることにより、摺動電気接点１４０の各接点１４３ａ、１４３ｂはフレキシブル回路基板１５０の電極１５３ａに、摺動電気接点１４０の各接点１４３ｃ、１４３ｄは電極１５３ｂに対面して自動的に接触する。
【００３９】
続いて、その垂直板部分１５１ａの外側に固定蓋１６０を取り付ける。この場合、その垂直板部分１５１ａから外側に突出したボス１２５ａ、１２５ｂ、１２５ｃに固定蓋１６０の取付孔１６１ａ、１６１ｂ、１６１ｃを挿通し、固定蓋１６０の外側に僅かに露出したボス１２５ａ、１２５ｂ、１２５ｃを溶融して固定する。
【００４０】
このようにして、図１、図２及び図６に示したような外観の本発明の第１実施例である回動型電子部品１００が完成する。
【００４１】
この回動型電子部品１００は、その一対の位置決めボス１２６で図示していない固定板上に位置決めし、また、固定板に開けられた一対の貫通孔（不図示）に、一対の溶着ボス１２７を挿通し、それらの先端部を溶着して固定、取り付けることができる。
【００４２】
前記実施例に記したフレキシブル回路基板１５０に形成した電極１５３ａ、１５３ｂは抵抗体として示したが、電気接点として形成しておけば、この回動型電子部品１００はオンオフスイッチとしても構成することができる。
【００４３】
次に、図１１乃至図１３を用いて、この回動型電子部品１００の動作を説明する。
【００４４】
図１１は操作部材をハウジングに対して左側に回動した状態の本発明の第１実施例の回動型電子部品の正面図、図１２はフレキシブル回路基板、摺動電気接点及び固定蓋を外して図１１に示した状態におけるハウジング内のコイルバネとバネ押し突起の状態を示した正面図、そして図１３はフレキシブル回路基板の垂直板部分上における電極パターン側から見た電極パターンの電極と摺動電気接点との状態を示した正面図である。
【００４５】
図１１及び図１２において、使用者が操作部材１１０の操作ノブ１１２を、図示のように、中立位置の中心線Ｌｏから左側に回動すると、バネ押し突起１１５ａ、１１５ｂもそれぞれバネ押し突起ガイド溝１２３、１２４上を左側に回動し、バネ押し突起１１５ａがコイルバネ１３０の右端を押して圧縮する。
【００４６】
この時、摺動電気接点１４０及びその接点１４３ａ、１４３ｂ、１４３ｃ、１４３ｄも電極パターン１５３の電極１５３ａ、１５３ｂ上を摺動しながら左側へ、図１３に示した状態では図面上、右側に摺動し、接点１４３ｃ、１４３ｄは電極１５３ｂの右端部分の方へ移動し、接点１４３ａ、１４３ｂは電極１５３ａの基端部分の方に移動する。
【００４７】
使用者が操作ノブ１１２を離すと、操作部材１１０はコイルバネ１３０が伸張して、その時のコイルバネ１３０の反発力でバネ押し突起１１５ａｂを右側へ押すことから操作部材１１０は中立位置Ｌｏに復帰する。
【００４８】
使用者が図１１及び図１２において操作ノブ１１２を中立位置から右側へ押圧した場合は、バネ押し突起１１５ａ、１１５ｂ、摺動電気接点１４０は前記の動作と反対方向に移動し、電極パターン１５３上を同じように摺動する。
【００４９】
操作部材１１０の操作でバネ押し突起１１５ａ、１１５ｂは前記のように移動するが、この時、バネ押し突起ガイド溝１２３、１２４に前記のように高粘度グリースＤが塗布されていることから、高粘度グリースＤがダンパーの役割を果たし、このダンパー効果により操作部材の中立位置へのリターン速度を遅くし、復帰バネの伸張、バネ押し突起１１５ａ、１１５ｂの移動の際の樹脂部品との干渉音を低減することができる。
【００５０】
このようにして、回動型電子部品１００は、例えば、抵抗値を変化させることができ、その出力電流或いは電圧の変化で、例えば、ビデオカメラのズームレンズを制御することができる。
【００５１】
前記実施例２の回動型電子部品１００の一寸法例を参考までに記すと、操作部材１１０の摺動板１１１の表面からハウジング１２０の底面までの高さは４．５ｍｍである。このように本発明の回動型電子部品１００は低背化することができる。
【００５２】
なお、操作部材１１０の摺動板１１１の幅は１０ｍｍ、その長さは１２ｍｍ、その厚みは０．５ｍｍであるが、この摺動板１１１はこの回動型電子部品１００を搭載する電子機器の外表面に出る部分であるので、その電子機器の外表面の状態に応じて寸法を変更し、操作し易い寸法を選ぶとよいことを付言しておく。
【実施例２】
【００５３】
次に、図１４及び図１５を用いて、本発明の第２実施例の回動型電子部品を説明する。
【００５４】
図１４は本発明の第２実施例の回動型電子部品を固定板に固定した状態の外観を示していて、同図Ａはその前方斜め上から見た斜視図、同図Ｂはその後方斜め上から見た斜視図、同図Ｃはその前方斜め下から見た斜視図、そして図１５は図１４に示した回動型電子部品に用いられているフレキシブル回路基板を示していて、同図Ａはその前方斜め上から見た斜視図、同図Ｂはその後方斜め上から見た斜視図である。
【００５５】
符号２００は本発明の第２実施例の回動型電子部品を指す。この回動型電子部品２００は、フレキシブル回路基板１５０Ａに第１実施例の回動型電子部品１００が搭載されている他にオンオフスイッチ部品３００が搭載されている複合電子部品である。この回動型電子部品２００の回動型電子部品１００部分の構成、構造は、フレキシブル回路基板１５０Ａを除いて同一であるので、同一部分には同一の符号を付してそれらの部分の説明は省略する。
【００５６】
この回動型電子部品２００に用いるフレキシブル回路基板１５０Ａは、フレキシブル回路基板１５０における水平板部分１５１ｂを所定の長さに長く延長して水平板部分１５１Ｂとしたものである。そしてその延長部分の所定の位置に皿バネスイッチのようなオンオフスイッチ２１０を搭載したものである。
【００５７】
そして、図１４に示したように、このオンオフスイッチ２１０の上方に押し釦２２０を装着すると、オンオフスイッチ部品３００が完成する。
【００５８】
このようにして摺動部品である回動型電子部品１００にオンオフスイッチであるオンオフスイッチ部品３００を一体的に形成した本発明の第２実施例の回動型電子部品２００が得られる。
【００５９】
なお、図１４に示したように、フレキシブル回路基板１５０Ａを固定板２３０に固定して電子機器の筐体などに取り付けることができる。この固定に当たっては、回動型電子部品１００の複数本の溶着ボス１２７やオンオフスイッチ部品３００の複数本の溶着ボス３１０を固定板２３０に開けた複数の貫通孔２３１、２３２、２３３、２３４に挿入し、それら溶着ボス１２７や溶着ボス３１０の先端部を溶融することにより各貫通孔２３１、２３２、２３３、２３４を塞ぎ、固定することができる。
【００６０】
また、フレキシブル回路基板１５０Ａの延長した水平板部分１５１Ｂにはオンオフスイッチ部品３００の他にも電子回路など他の機能手段を形成することができるが、図示することを省略した。
【００６１】
このような回動型電子部品２００も、例えば、ビデオカメラに用いることができ、その場合は、回動型電子部品２００の回動型電子部品１００はズームレンズのズーミングを制御する部品として用いることができ、オンオフスイッチ部品３００はフォーカスやナイトショット用の部品として用いることができる。従って、この回動型電子部品２００においては、オンオフスイッチ部品３００の搭載は１個だけに限定されるものではなく、必要に応じてフレキシブル回路基板１５０Ａ上の所定の位置に複数個のオンオフスイッチ部品３００を搭載してもよい。
【産業上の利用可能性】
【００６２】
本発明は電子部品メーカやビデオカメラやデジタルカメラなどの電子機器などを製造するメーカで利用することができる。
【図面の簡単な説明】
【００６３】
【図１】本発明の第１実施例の回動型電子部品の全体の外観を示していて、同図Ａはその前方斜め上から見た斜視図、同図Ｂはその後方斜め上から見た斜視図である。
【図２】本発明の第１実施例の回動型電子部品の全体の外観を示していて、同図Ａはその前方斜め下から見た斜視図、同図Ｂはその後方斜め下から見た斜視図である。
【図３】図１及び図２に示した回動型電子部品の各構成部品を前方から見た分解斜視図である。
【図４】図３に示した回動型電子部品の各構成部品を配列を変えて後方から見た分解斜視図である。
【図５】図３及び図４に示した回動型電子部品の１構成部品である操作部材を示した拡大図であって、同図Ａはその前方斜め下から見た斜視図、同図Ｂはその後方斜め下から見た斜視図である。
【図６】図１及び図２に示した回動型電子部品の正面平面図である。
【図７】図３に示した１構成部品であるハウジングにコイルバネを装着した状態の正面図である。
【図８】図６におけるＡ−Ａ線上における断面側面図である。
【図９】図６におけるＢ−Ｂ線上における断面側面図である。
【図１０】図４に示した構成部品であるフレキシブル回路基板の電極パターンと一文字状の摺動電気接点との位置関係を示した平面図である。
【図１１】操作部材をハウジングに対して左側に回動した状態の本発明の第１実施例の回動型電子部品の正面図である。
【図１２】フレキシブル回路基板、摺動電気接点及び固定蓋を外して図１１に示した状態におけるハウジング内のコイルバネとバネ押し突起の状態を示した正面図である。
【図１３】フレキシブル回路基板の垂直板部分上における電極パターン側から見た電極パターンの電極と摺動電気接点との状態を示した正面図である。
【図１４】本発明の第２実施例の回動型電子部品を固定板に固定した状態の外観を示していて、同図Ａはその前方斜め上から見た斜視図、同図Ｂはその後方斜め上から見た斜視図、同図Ｃはその前方斜め下から見た斜視図である。
【図１５】図１４に示した回動型電子部品に用いられているフレキシブル回路基板を示していて、同図Ａはその前方斜め上から見た斜視図、同図Ｂはその後方斜め上から見た斜視図である。
【図１６】従来技術の第１形態の回動型電子部品の断面図である。
【図１７】図１６におけるＡ−Ａ線上における縦断面図である。
【図１８】この回動型電子部品のハウジングを示す平面図である。
【図１９】従来技術の第２形態の回動型電子部品の正面断面図である。
【図２０】図１９に示した回動型電子部品の分解斜視図である。
【符号の説明】
【００６４】
１００…本発明の第１実施例の回動型電子部品、１１０…操作部材、１１１…摺動板、１１２…操作ノブ、１１３…支持板、１１４…スペーサー、１１５ａ，１１５ｂ…バネ押し突起、１１６…摺動電気接点取付用突起、１２０…ハウジング、１２１…表面板、１２２…コイルバネ収容凹部、１２３，１２４…バネ押し突起ガイド溝、１２５ａ，１２５ｂ，１２５ｃ…ボス、１２６…位置決めボス、１２７…溶着ボス、１２８…支持板ガイド溝、１３０…コイルバネ、１４０…摺動電気接点、１４１…取付孔、１４３ａ，１４３ｂ，１４３ｃ，１４３ｄ…接点、１５０，１５０Ａ…フレキシブル回路基板１５１ａ…垂直板部分、１５１ｂ，１５１Ｂ…水平板部分、、１５３…電極パターン、１５３ａ，１５３ｂ…電極、１５２ａ，１５２ｂ，１５２ｃ…取付孔、１６０…固定蓋、１６１ａ，１６１ｂ，１６１ｃ…取付孔、２００…本発明の第２実施例の回動型電子部品、２１０…オンオフスイッチ、３００…オンオフスイッチ部品、２２０…押し釦
【図１】
2006236784.tif 000003
【図２】
2006236784.tif 000004
【図３】
2006236784.tif 000005
【図４】
2006236784.tif 000006
【図５】
2006236784.tif 000007
【図６】
2006236784.tif 000008
【図７】
2006236784.tif 000009
【図８】
2006236784.tif 000010
【図９】
2006236784.tif 000011
【図１０】
2006236784.tif 000012
【図１１】
2006236784.tif 000013
【図１２】
2006236784.tif 000014
【図１３】
2006236784.tif 000015
【図１４】
2006236784.tif 000016
【図１５】
2006236784.tif 000017
【図１６】
2006236784.tif 000018
【図１７】
2006236784.tif 000019
【図１８】
2006236784.tif 000020
【図１９】
2006236784.tif 000021
【図２０】
2006236784.tif 000022